(57)【要約】【課題】  取付突部を取付穴部に挿入する時に木製の取付け穴部の開口部や内面部を破損することなく、容易に脱着可能とすること。【解決手段】  略Ｃ字状の雲手２１の下方には嵌込孔２１１が設けられ、嵌込孔２１１に対しては凸接続部材２１３が対応して取付けられており、凸接続部材２１３には略錨型の突出部２１４が一体に形成されている。そして、火袋吊り具２には嵌込孔２２１が設けられ、嵌込孔２２１に対して凹接続部材２２２が対応して取付けられ、凹接続部材２２２は凸接続部材２１３の突出部２１４に対応して、凸接続部材２１３の突出部２１４が嵌めこまれるように略四角形の固定部２２３が設けられている。したがって、火袋吊り具２に配設した凹接続部材２２２の嵌込孔２２１に、凸接続部材２１３の突出部２１４が嵌め込まれて固着される。【選択図】      図２
2006210361.tif 000002
【特許請求の範囲】
【請求項１】
光源を収容する火袋と、
前記火袋の下部を固定する基台と、
前記基台の下部に取付けられる複数本の脚と、
前記基台に立設され、火袋の上部を保持する一対の支柱からなる火袋吊り具と、
前記火袋吊り具の一対の支柱間の上部に取付けられる略Ｃ字状の雲手と、
前記複数本の脚の内側から、前記脚に取付けられて補強をなす補強部材とを具備し、
前記火袋吊り具と前記基台との取付けは、前記火袋吊り具の下端に配設した凸状接続部材と、前記基台の上面側から前記凸状接続部材の挿脱を自在とする挿入部及び前記挿入部に挿入された前記凸状接続部材を水平方向の摺動によって固定を自在とする固定部を有する前記基台に穿設した凹部内に配設した凹状接続部材で行うことを特徴とする提灯。
【請求項２】
光源を収容する火袋と、
前記火袋の下部を固定する基台と、
前記基台の下部に取付けられる複数本の脚と、
前記基台に立設され、火袋の上部を保持する一対の支柱からなる火袋吊り具と、
前記火袋吊り具の一対の支柱間の上部に取付けられる略Ｃ字状の雲手と、
前記複数本の脚の内側から、前記脚に取付けられて補強をなす補強部材とを具備し、
前記複数本の脚と前記基台との取付けは、前記複数本の脚の上端に配設した凸状接続部材と、前記基台の下面側から前記凸状接続部材の挿脱を自在とする挿入部及び前記挿入部に挿入された前記凸状接続部材を水平方向の摺動によって固定される固定部を有する前記基台に穿設した凹部内に配設した凹状接続部材で行うことを特徴とする提灯。
【請求項３】
光源を収容する火袋と、
前記火袋の下部を固定する基台と、
前記基台の下部に取付けられる複数本の脚と、
前記基台に立設され、火袋の上部を保持する一対の支柱からなる火袋吊り具と、
前記火袋吊り具の一対の支柱間の上部に取付けられる略Ｃ字状の雲手と、
前記複数本の脚の内側から、前記脚に取付けられて補強をなす補強部材とを具備し、
前記火袋吊り具と前記基台との取付けは、前記火袋吊り具の下端に配設した凸状接続部材と、前記基台の上面側から前記凸状接続部材の挿脱を自在とする挿入部及び前記挿入部に挿入された前記凸状接続部材を水平方向の摺動によって固定される固定部を有する前記基台に穿設した凹部内に配設した凹状接続部材で行い、また、前記複数本の脚と前記基台との取付けは、前記複数本の脚の上端に配設した凸状接続部材と、前記基台の下面側から前記凸状接続部材の挿脱を自在とする挿入部及び前記挿入部に挿入された前記凸状接続部材を水平方向の摺動によって固定される固定部を有する前記基台に穿設した凹部内に配設した凹状接続部材で行うことを特徴とする提灯。
【請求項４】
光源を収容する火袋と、
前記火袋の下部を固定する基台と、
前記基台の下部に取付けられる複数本の脚と、
前記基台に立設され、火袋の上部を保持する一対の支柱からなる火袋吊り具と、
前記火袋吊り具の一対の支柱間の上部に取付けられる略Ｃ字状の雲手と、
前記複数本の脚の内側から、前記脚に取付けられて補強をなす補強部材とを具備し、
前記火袋吊り具と前記基台との取付けは、前記火袋吊り具の下端に配設した凸状接続部材と、前記基台の外周の開口から前記凸状接続部材の挿脱を自在とする挿入部及び前記挿入部から挿入された前記凸状接続部材を水平方向の摺動によって固定される固定部を有する前記基台の上面側に穿設した水平断面略Ｕ字状の凹部に固着された凹状接続部材で行うと共に、前記基台の外周に火袋の下輪を装着し、前記凸状接続部材の離脱を防止することを特徴とする提灯。
【請求項５】
光源を収容する火袋と、
前記火袋の下部を固定する基台と、
前記基台の下部に取付けられる複数本の脚と、
前記基台に立設され、火袋の上部を保持する一対の支柱からなる火袋吊り具と、
前記火袋吊り具の一対の支柱間の上部に取付けられる略Ｃ字状の雲手と、
前記複数本の脚の内側から、前記脚に取付けられて補強をなす補強部材とを具備し、
前記複数本の脚と前記基台との取付けは、前記複数本の脚の上端に配設した凸状接続部材と、前記基台の外周の開口から前記凸状接続部材の挿脱を自在とする挿入部及び前記挿入部から挿入された前記凸状接続部材の水平方向の摺動によって固定される固定部を有する前記基台の下面側に穿設した水平断面略Ｕ字状の凹部に固着された凹状接続部材で行うことを特徴とする提灯。
【請求項６】
光源を収容する火袋と、
前記火袋の下部を固定する基台と、
前記基台の下部に取付けられる複数本の脚と、
前記基台に立設され、火袋の上部を保持する一対の支柱からなる火袋吊り具と、
前記火袋吊り具の一対の支柱間の上部に取付けられる略Ｃ字状の雲手と、
前記複数本の脚の内側から、前記脚に取付けられて補強をなす補強部材とを具備し、
前記火袋吊り具と前記基台との取付けは、前記火袋吊り具の下端に配設した凸状接続部材と、前記基台の外周の開口から前記凸状接続部材の挿脱を自在とする挿入部及び前記挿入部から挿入された前記凸状接続部材の水平方向の摺動によって固定される固定部を有する前記基台の上面側に穿設した水平断面略Ｕ字状の凹部に固着された凹状接続部材で行い、また、前記複数本の脚と前記基台との取付けは、前記複数本の脚の上端に配設した凸状接続部材と、前記基台の外周の開口から前記凸状接続部材の挿脱を自在とする挿入部及び前記挿入部から挿入された前記凸状接続部材の水平方向の摺動によって固定される固定部を有する前記基台の下面側に穿設した水平断面略Ｕ字状の凹部に固着された凹状接続部材で行うと共に、前記基台の外周に火袋の下輪を装着し、前記凸状接続部材の離脱を防止することを特徴とする提灯。
【請求項７】
前記凸状接続部材の外側及び前記凹状接続部材の固定部の内側には、対向面に水平方向に延びた線条を形成し、互いに嵌合する構造としたことを特徴とする請求項１乃至請求項６のいずれか１つに記載の提灯。
【請求項８】
前記凸状接続部材には、その火袋吊り具側または脚側に突起を形成したことを特徴とする請求項１乃至請求項７のいずれか１つに記載の提灯。
【請求項９】
前記凹状接続部材には、前記凹状接続部材の基台側に突起を形成したことを特徴とする請求項１乃至請求項８のいずれか１つに記載の提灯。
【請求項１０】
前記凹状接続部材は、全体外形の水平断面を長円筒状としたことを特徴とする請求項１乃至請求項３、請求項７乃至請求項９のいずれか１つに記載の提灯。
【請求項１１】
前記凹状接続部材をその内部に配設する前記基台の凹部は、全体外形の水平断面を長円孔としたことを特徴とする請求項１乃至請求項３、請求項７乃至請求項１０のいずれか１つに記載の提灯。
【請求項１２】
前記凹状接続部材は、全体外形の水平断面を略Ｕ字状としたことを特徴とする請求項４乃至請求項９のいずれか１つに記載の提灯。
【請求項１３】
前記凹状接続部材をその内部に配設する前記基台の凹部は、全体外形の水平断面を略Ｕ字状としたことを特徴とする請求項４乃至請求項９、請求項１２のいずれか１つに記載の提灯。
【発明の詳細な説明】
【技術分野】
【０００１】
本発明は提灯に関するもので、木製の基台、一対の支柱からなる火袋吊り具、脚、火袋を備えた提灯において、基台への脚及び／または火袋吊り用の一対の支柱、略Ｃ字状の雲手及び／または脚に取付けられて補強をなす補強部材の取付け及び取外し構造に関するものである。
【背景技術】
【０００２】
【特許文献１】特開平８―８３５０４号公報
【特許文献２】特開平８−２１２８０８号公報
【特許文献３】特開平１１−２１３７０８号公報
【特許文献４】特開２００２−３１９３０１号公報  特開平１１−２１３７０８号公報の発明は、発光手段が設けられる基台と、基台の上面側に取付けられる火袋吊り用の一対の支柱と、基台の下面側に取付けられる支持脚と、火袋吊り用の一対の支柱と基台との間に取付けられる火袋とを備えた提灯であって、上記基台の上面側には一対の支柱取付穴部が、また下面側には支持脚取付穴部がそれぞれ設けられており、上記一対の支柱の取付側には火袋吊り具取付突部が、また支持脚の取付側には支持脚取付突部がそれぞれ設けられており、上記取付穴部のうち、少なくとも、支持脚取付穴部は、摩擦係数が小さくそしてバネ作用を有する高分子製押圧片を備えた凹状受具が嵌め込まれている提灯に関するものである。
【０００３】
この種の提灯においては、基台の上面側には火袋吊り用の一対の支柱取付穴部が、下面側には支持脚取付穴部がそれぞれ設けられており、一対の支柱と支持脚との取付側には、一対の支柱取付突部と支持脚取付突部とが設けられている。そして、上記取付穴部のうち、少なくとも、支持脚取付穴部は、摩擦係数が小さく同時にバネ作用も有する高分子製押圧片を備えた凹状受具が嵌め込まれているので、上記取付穴部の内面と取付突部の外面とが滑り易くそして上記取付後凹状受具の内面が取付突部の外面を押圧しつつ抱持することができる。したがって、特開平８−８３５０４号公報記載の発明における滑りにくい弾性挿入部材を使用することによる当該弾性挿入部材の基台の嵌合穴への取付けや取外しの困難性に比べ、また、特開平８−２１２８０８号公報記載の発明における基台の取付孔に弾性挿入部材を挿入するときの挟持固定部材の回動操作等の困難性（特に年配者）に比べ、基台への支持脚及び／または火袋吊り用の一対の支柱の取付けや取外しを容易にすることができ、その上、取付時や取外時に取付部、例えば、取付突部等の破損を防止することができる。そして、基台への支持脚及び／または火袋吊り用の一対の支柱の取付け後、その取付けを緊密な状態に維持することができるものである。
【０００４】
更に、特開２００２−３１９３０１号公報の発明は、基台の上面側に火袋吊り用の一対の支柱を取付け、前記基台と一対の支柱の上端部との間で火袋を展開して支持する提灯において、基台の上面に一対の支柱を上下に延びるよう取付けるための凹部を形成し、火袋吊り用の一対の支柱の下端に前記基台の凹部に対応する形状の突部を一体形成すると共に、前記突部の水平方向略中央に上下に延びる割溝を形成し、前記一対の支柱の突部を前記基台の凹部内に嵌め込むことにより、前記基台の上面側に前記一対の支柱を取付けるものである。
【０００５】
これによって、火袋吊り用の一対の支柱または脚の突部及び基台の対応する凹部の加工作業性、前記一対の支柱または脚の基台への取付作業性及び三角の脚への取付作業性を改善することができると共に、取付後における三角の脚からの脱落を効果的に防止することができるものである。
【０００６】
また、基台の上面側に火袋吊り用の一対の支柱を取付け、前記基台と火袋吊り用の一対の支柱の上端部との間で火袋を展開して支持する提灯において、基台における一対の支柱の取付位置に基台の上面から下方へと前記台の厚さ方向の途中まで延びると共に、正円形以外の水平断面形状を有する凹部を形成し、前記基台における前記一対の支柱の取付位置に前記凹部より小さい平面方向の寸法で前記凹部に連続して、前記基台の下面側に露出する位置まで前記基台の厚さ方向に貫通して延びる貫通孔を形成し、前記火袋吊り用の一対の支柱の下端に、前記基台の凹部に対応する形状で下方に延び、前記基台の凹部に密接して嵌め込み自在な突部を一体形成し、前記火袋吊り用の一対の支柱の突部の下端に前記突部より小さい平面方向の寸法で、かつ、前記基台の貫通孔より長い寸法で下方に延びる雄螺子を一体的に設け、前記火袋吊り用の一対の支柱の突部を前記基台の凹部内に嵌め込むと共に、前記火袋吊り用の一対の支柱の雄螺子を前記基台の貫通孔に挿入し、前記基台の貫通孔より露出した前記雄螺子の下端部に雌螺子を螺合することにより、前記基台の上面側に前記火袋吊り用の一対の支柱を取付けるものである。
【０００７】
これによって、火袋吊り用の一対の支柱または脚の突部及び基台の対応する凹部の加工作業性、火袋吊り用の一対の支柱または脚の基台への取付作業性及び三角の脚への取付作業性を改善することができると共に、取付後における三角の脚からの脱落を効果的に防止することができる。また、雄螺子及び雌螺子の螺合により、火袋吊り用の一対の支柱または脚を基台に対してより強固に安定して取付けることができる。
【発明の開示】
【発明が解決しようとする課題】
【０００８】
しかしながら、上記公知技術の提灯においては、例えば、特開平１１−２１３７０８号公報の発明の取付穴部には、摩擦係数が小さく、バネ作用を有する合成樹脂からなる押圧片を有する凹状受具が嵌込まれており、安定した接続或いは接続解除ができるものの、組立ての完了状態で弾性が作用し、堅固な組付け状態が維持できないものである。
【０００９】
また、上記特開２００２−３１９３０１号公報の発明は、火袋吊り用の一対の支柱の突部の水平方向略中央に上下に延びる割溝を形成し、前記一対の支柱の突部を基台の凹部内に嵌込むことにより、前記台の上面側に前記柱を取付けるものであるが、基本的に柱の木材の弾性を使用するものであり、経年変化に対応することができない。また、特開平１１−２１３７０８号公報の発明と同様、組付け状態で弾性がわざわいになり、堅固な組付け状態が維持できないものである。
【００１０】
そこで、本発明は、これらの点に鑑みてなされたもので、基台への脚及び／または火袋吊り具の取付け及び取外しが容易で、構成部品の取付部の破損を確実に防止し、安定した取付け状態を得ることができる提灯の提供を課題とするものである。
【課題を解決するための手段】
【００１１】
請求項１にかかる提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記火袋吊り具と前記基台との取付けは、前記火袋吊り具の下端に配設した凸状接続部材と、前記基台の上面側から前記凸状接続部材の挿脱を自在とする挿入部及び前記凸状接続部材の水平方向の摺動により固定となる固定部を有する前記基台に穿設した凹部内に配設した凹状接続部材で行うものである。
したがって、一対の支柱からなる火袋吊り具の下端に配設した凸状接続部材と、基台に形成した凹部内で前記凸状接続部材の挿脱を自在とする挿入部及び前記凸状接続部材の水平方向の摺動により凹状接続部材の固定部に固定するものである。特に、火袋吊り具の下端に配設した凸状接続部材を凹状接続部材の挿入部に挿入し、そして、水平方向の摺動によって凹状接続部材の固定部に固定するものであるから、火袋吊り具と基台との取付けを堅固に行うことができる。また、逆の操作により、取外しが容易であるから、取付け及び取外しが簡単となり、無理な外力を付与する必要がないから、構成部品を破損することがない。
【００１２】
請求項２にかかる提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記複数本の脚と前記基台との取付けは、前記複数本の脚の上端に配設した凸状接続部材と、前記基台の下面側から前記凸状接続部材の挿脱を自在とする挿入部及び前記凸状接続部材の水平方向の摺動によって固定される固定部を有する前記基台に穿設した凹部内に配設した凹状接続部材で行うものである。
したがって、前記複数本の脚の上端に配設した凸状接続部材と、基台に穿設した凹部内で前記凸状接続部材の挿脱を自在とする挿入部及び前記凸状接続部材の水平方向の摺動により凹状接続部材の固定部に固定するものである。特に、前記複数本の脚の上端に配設した凸状接続部材を凹状接続部材の挿入部に挿入し、そして、水平方向の摺動により凹状接続部材の固定部に固定するものであるから、前記複数本の脚の上端と基台との取付けを堅固に行うことができる。また、逆の操作により、取外しが容易であるから、取付け及び取外しが簡単となり、無理な外力を付与する必要がないから、構成部品を破損することがない。
【００１３】
請求項３にかかる提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記火袋吊り具と前記基台との取付けは、前記火袋吊り具の下端に配設した凸状接続部材と、前記基台の上面側から前記凸状接続部材の挿脱を自在とする挿入部及び前記凸状接続部材の水平方向の摺動によって固定となる固定部を有する前記基台に穿設した凹部内に配設した凹状接続部材で行い、前記複数本の脚と前記基台との取付けは、前記複数本の脚の上端に配設した凸状接続部材と、前記基台の下面側から前記凸状接続部材の挿脱を自在とする挿入部及び前記凸状接続部材の水平方向の摺動によって固定となる固定部を有する前記基台に穿設した凹部内に固着された凹状接続部材で行うものである。
したがって、一対の支柱からなる火袋吊り具の下端に配設した凸状接続部材と、基台に形成した凹部内で前記凸状接続部材の挿脱を自在とする挿入部及び前記凸状接続部材の水平方向の摺動により凹状接続部材の固定部に固定するものである。特に、火袋吊り具の下端に配設した凸状接続部材を凹状接続部材の挿入部に挿入し、そして、水平方向の摺動により凹状接続部材の固定部に固定するものであるから、火袋吊り具と基台との取付けを堅固に行うことができる。
また、前記複数本の脚の上端に配設した凸状接続部材と、基台に穿設した凹部内で前記凸状接続部材の挿脱を自在とする挿入部及び前記凸状接続部材の水平方向の摺動により凹状接続部材の固定部に固定するものである。特に、前記複数本の脚の上端に配設した凸状接続部材を凹状接続部材の挿入部に挿入し、そして、水平方向の摺動によって凹状接続部材の固定部に固定するものであるから、前記複数本の脚の上端と基台との取付けを堅固に行うことができる。そして、何れも、逆の操作により、取外しが容易であるから、取付け及び取外しが簡単となり、無理な外力を付与する必要がないから、構成部品を破損することがない。
【００１４】
請求項４にかかる提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記火袋吊り具と前記基台との取付けは、前記火袋吊り具の下端に配設した凸状接続部材と、前記基台の外周の開口から前記凸状接続部材の挿脱を自在とする挿入部及び前記挿入部から挿入された前記凸状接続部材の水平方向の摺動によって固定される固定部を有する前記基台の上面側に穿設した水平断面略Ｕ字状の凹部に固着された凹状接続部材で行うものである。
したがって、火袋吊り具の下端に配設した凸状接続部材と、基台に形成した凹部内に配設した前記凸状接続部材の挿脱を自在とする挿入部及び前記凸状接続部材の水平方向の摺動により固定となる固定部を有する凹状接続部材で固定を行うものである。特に、火袋吊り具の下端に配設した凸状接続部材を基台に配設した凹状接続部材の挿入部に挿入し、そして、水平方向に摺動させて凹状接続部材の固定部に固定するものであるから、火袋吊り具と基台との取付けは堅固に行うことができる。また、逆の操作で容易に分離することができる。よって、取付け及び取外しが簡単となり、無理な外力を付与する必要がないから構成部品を破損することがない。そして、全体外形を水平断面略Ｕ字状に形状したものであるから、基台の外部の自由空間を前記凸状接続部材の挿脱を自在とする挿入部とすることができ、前記凹状接続部材を小型化できる。更に、前記凹状接続部材をその内部に配設する前記基台の凹部は、全体外形を水平断面略Ｕ字状に形状し、外周の開口を挿入部とするものであるから、火袋の下輪を装着したとき前記凸状接続部材の離脱防止として機能し、火袋の下輪を装着することにより凸状接続部材の離脱が困難となるから、安定した固定が可能である。
【００１５】
請求項５にかかる提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記複数本の脚と前記基台との取付けは、前記複数本の脚の上端に配設した凸状接続部材と、前記基台の外周の開口から前記凸状接続部材の挿脱を自在とする挿入部及び前記挿入部から挿入された前記凸状接続部材の水平方向の摺動により固定となる固定部を有する前記基台の下面側に穿設した全体外形の水平断面略Ｕ字状の凹部に固着された凹状接続部材で行うものである。
したがって、複数本の脚の上端に配設した凸状接続部材と、基台に形成した凹部内に配設した前記凸状接続部材の挿脱を自在とする挿入部及び前記凸状接続部材の水平方向の摺動により固定となる固定部を有する凹状接続部材で固定を行うものである。特に、複数本の脚の上端に配設した凸状接続部材を凹状接続部材の挿入部に挿入し、そして、水平方向に摺動させて凹状接続部材の固定部に固定するものであるから、複数本の脚と基台との取付けは堅固に行うことができる。また、逆の操作で容易に分離することができる。よって、取付け及び取外しが簡単となり、無理な外力を付与する必要がないから構成部品を破損することがない。そして、全体外形を水平断面略Ｕ字状に形状したものであるから、自由空間を前記凸状接続部材の挿脱を自在とする挿入部とすることができ、前記凹状接続部材を小型化できる。
【００１６】
請求項６にかかる提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記火袋吊り具と前記基台との取付けは、前記火袋吊り具の下端に配設した凸状接続部材と、前記基台の上面側に穿設した水平断面略Ｕ字状の凹部に固着され、前記基台の外周の開口から前記凸状接続部材の挿脱を自在とする挿入部及び前記挿入部から挿入された前記凸状接続部材の水平方向の摺動によって固定される固定部を有する凹状接続部材で行い、また、前記複数本の脚と前記基台との取付けは、前記複数本の脚の上端に配設した凸状接続部材と、前記基台の外周の開口から前記凸状接続部材の挿脱を自在とする挿入部及び前記挿入部から挿入された前記凸状接続部材の水平方向の摺動により固定となる固定部を有する前記基台の下面側に穿設した水平断面略Ｕ字状の凹部に固着された凹状接続部材で行うものである。
したがって、火袋吊り具の下端に配設した凸状接続部材と、基台に形成した凹部内に配設した前記凸状接続部材の挿脱を自在とする挿入部及び前記凸状接続部材の水平方向の摺動により固定となる固定部を有する凹状接続部材で固定を行うものである。特に、火袋吊り具の下端に配設した凸状接続部材を凹状接続部材の挿入部に挿入し、そして、水平方向に摺動させて凹状接続部材の固定部に固定するものであるから、火袋吊り具と基台との取付けは堅固に行うことができる。また、逆の操作で容易に分離することができる。更に、複数本の脚の上端に配設した凸状接続部材と、基台に形成した凹部内に配設した前記凸状接続部材の挿脱を自在とする挿入部及び前記凸状接続部材の水平方向の摺動により固定となる固定部を有する凹状接続部材で固定を行うものである。特に、複数本の脚の上端に配設した凸状接続部材を凹状接続部材の挿入部に挿入し、そして、水平方向に摺動させて凹状接続部材の固定部に固定するものであるから、複数本の脚と基台との取付けは堅固に行うことができる。よって、取付け及び取外しが簡単となり、無理な外力を付与する必要がないから構成部品を破損することがない。
そして、全体外形を水平断面略Ｕ字状に形状したものであるから、自由空間を前記凸状接続部材の挿脱を自在とする挿入部とすることができ、小型化できる。更に、前記凹状接続部材をその内部に配設する前記基台の凹部は、全体外形を水平断面略Ｕ字状に形状し、外周の開口を挿入部とするものであるから、火袋の下輪を装着したとき前記火袋吊り具の下端に配設した凸状接続部材の離脱防止として機能し、火袋の下輪を装着することにより凸状接続部材の離脱が困難となるから、安定した固定が可能である。
【００１７】
請求項７にかかる提灯の前記凸状接続部材の外側及び前記凹状接続部材の固定部の内側には、対向面に水平方向に延びた線条を形成し、互いに嵌合する構造としたものであるから、両者の結合状態及び両者の接触抵抗を高くすることができ、かつ、偶力に対しては高い抵抗を示すことができ、安定した固着状態が維持できる。
【００１８】
請求項８にかかる提灯の前記凸状接続部材の火袋吊り具側または脚側は、前記凸状接続部材に突起を形成したものであるから、前記突起が火袋吊り具または脚のひび割れを防止し、かつ、前記突起が火袋吊り具または脚に係合され、両者の一体化をより堅固なものとすることができる。
【００１９】
請求項９にかかる提灯の前記凹状接続部材の基台側には、前記凹状接続部材に突起を形成したものであるから、前記凹状接続部材と基台との一体化をより堅固なものとすることができる。
【００２０】
請求項１０にかかる提灯の前記凹状接続部材は、全体外形の水平断面を長円筒状としたものであるから、ドリルの穿設処理で形成した凹部、プレカットで形成した凹部との結合が容易になり、取付状態で回動し難くなり、かつ、がたつきが生じない。
【００２１】
請求項１１にかかる提灯の前記基台に形成し、前記凹状接続部材をその内部に配設する凹部は、その水平断面を長円孔としたものである。したがって、ドリルの穿設処理またはプレカットによる穿設処理が容易になり、正確な凹部を形成できる。
【００２２】
請求項１２にかかる提灯の前記凹状接続部材は、全体外形の水平断面を断面略Ｕ字状に形状したものであるから、自由空間を前記凸状接続部材の挿脱を自在とする挿入部とすることができ、小型化できる。
【００２３】
請求項１３にかかる提灯の前記凹状接続部材をその内部に配設する前記基台の凹部は、全体外形の水平断面を略Ｕ字状に形状し、外周の開口を挿入部とし、かつ、火袋の下輪を装着したとき前記凸状接続部材の離脱防止としたものである。したがって、火袋の下輪を装着することにより凸状接続部材の離脱が困難となるから、安定した固定が可能である。
【発明の効果】
【００２４】
以上のように、請求項１の発明の提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記火袋吊り具と前記基台との取付けは、前記火袋吊り具の下端に配設した凸状接続部材と、前記基台の上面側から前記凸状接続部材の挿脱を自在とする挿入部及び前記凸状接続部材の水平方向の摺動によって固定される固定部を有する前記基台に穿設した凹部内に配設した凹状接続部材で行うものである。
【００２５】
したがって、一対の支柱からなる火袋吊り具と前記基台との接続は、火袋吊り具の下端部に配設した凸接続部材の突出部を、前記基台に穿設した凹部内に配設した凹状接続部材の挿入部に挿入し、そして、前記凸接続部材の突出部を水平方向に摺動させ、固定することができる。また、前記凸接続部材の突出部を固定部から挿入部に摺動させると、凸接続部材の突出部を挿入部から取外すことができる。故に、取付け及び取外しが簡単となり、無理な外力を付与する必要がないから、構成部品を破損することがない。また、前記凸接続部材及び凹接続部材は、木材等より任意の強い機械的強度で構成でき、繰り返しの使用に耐える部品とすることができる。そして、周囲の湿度や温度等の変化により、火袋吊り具、基台の木材の寸法が変化しても、安定した接続状態を維持できる。更に、凹接続部材の固定部は、凸接続部材の突出部の挿脱を自在とし、突出部が水平方向に摺動して固定部の摺動面を摺動することにより固定されているから、離脱を目的としない外力によって自然に離脱することがない。
よって、基台への火袋吊り具の取付け及び取外しが容易で、構成部品の取付部の破損を確実に防止し、安定した取付け状態を得ることができる。
【００２６】
請求項２の発明の提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記複数本の脚と前記基台との取付けは、前記複数本の脚の上端に配設した凸状接続部材と、前記基台の下面側から前記凸状接続部材の挿脱を自在とする挿入部及び前記凸状接続部材の水平方向の摺動により固定となる固定部を有する前記基台に穿設した凹部内に配設した凹状接続部材で行うものである。
【００２７】
したがって、前記複数本の脚と前記基台との接続は、前記複数本の脚の上端部に配設した凸接続部材の突出部を、前記基台に穿設した凹部内に配設した凹状接続部材の挿入部に挿入し、そして、前記凸接続部材の突出部を水平方向に摺動させ、固定するものである。また、前記凸接続部材の突出部を固定部から挿入部に摺動させると、凸接続部材の突出部を挿入部から取外すことができる。故に、取付け及び取外しが簡単となり、無理な外力を付与する必要がないから、構成部品を破損することがない。また、前記凸接続部材及び凹接続部材は、木材等より任意の強い機械的強度で構成でき、繰り返しの使用に耐える部品とすることができる。そして、周囲の湿度や温度等の変化により、前記複数本の脚、基台の木材の寸法が変化しても、安定した接続状態を維持できる。更に、凹接続部材の固定部は、凸接続部材の突出部の挿脱を自在とし、突出部が水平方向に摺動して固定部の摺動面を摺動することにより固定されているから、離脱を目的としない外力によって自然に離脱することがない。
よって、基台への複数本の脚の取付け及び取外しが容易で、構成部品の取付部の破損を確実に防止し、安定した取付け状態を得ることができる。
【００２８】
請求項３の発明の提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記火袋吊り具と前記基台との取付けは、前記火袋吊り具の下端に配設した凸状接続部材と、前記基台の上面側から前記凸状接続部材の挿脱を自在とする挿入部及び前記凸状接続部材の水平方向の摺動によって固定される固定部を有する前記基台に穿設した凹部内に配設した凹状接続部材で行い、また、前記複数本の脚と前記基台との取付けは、前記複数本の脚の上端に配設した凸状接続部材と、前記基台の下面側から前記凸状接続部材の挿脱を自在とする挿入部及び前記凸状接続部材の水平方向の摺動によって固定される固定部を有する前記基台に穿設した凹部内に配設した凹状接続部材で行うものである。
したがって、上記請求項１及び請求項２の効果を奏することができる。よって、一対の支柱と基台の取付けや取外しが容易で、一対の支柱と基台の取付時や取外時に、構成部品の強度をより増して、取付け構造の破損を確実に防止することができ、また、複数の脚と基台との取付け及び取外しが容易で、複数本の脚と基台の取付時や取外時に、構成部品の強度をより増して、取付部の破損を更に確実に防止することができる。
【００２９】
請求項４の発明の提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記火袋吊り具と前記基台との取付けは、前記火袋吊り具の下端に配設した凸状接続部材と、前記基台の外周の開口から前記凸状接続部材の挿脱を自在とする挿入部及び前記凸状接続部材の水平方向の摺動によって固定される固定部を有する前記基台の上面側に穿設した水平断面略Ｕ字状の凹部に固着された凹状接続部材で行い、前記基台の外周に火袋の下輪を装着し、前記凸状接続部材の離脱を防止するものである。
【００３０】
したがって、火袋吊り具と前記基台との接続は、火袋吊り具の下端部に配設した凸接続部材の突出部を、前記基台の上面側に穿設した水平断面略Ｕ字状の凹部に固着され、前記基台の外周の開口から前記凸状接続部材の挿脱を自在とする挿入部及び前記凸状接続部材の突出部を水平方向に摺動させて固定するものである。また、前記凸接続部材の突出部を固定部から挿入部に摺動させると、凸接続部材の突出部を挿入部から取外すことができる。故に、取付け及び取外しが簡単となり、無理な外力を付与する必要がないから、構成部品を破損することがない。また、前記凸接続部材及び凹接続部材は、木材等より任意の強い機械的強度で構成でき、繰り返しの使用に耐える部品とすることができる。そして、周囲の湿度や温度等の変化により、火袋吊り具、基台の木材の寸法が変化しても、安定した接続状態を維持できる。更に、凹接続部材の固定部は、凸接続部材の突出部の挿脱を自在とし、突出部が水平方向に摺動して固定部の摺動面を摺動することにより固定されているから、離脱を目的としない外力によって自然に離脱することがない。更にまた、前記凹状接続部材をその内部に配設する前記基台の凹部は、全体外形を断面略Ｕ字状に形状した孔とし、外周の開口を挿入部として設けたものであるから、自由空間を前記凸状接続部材の挿脱を自在とする挿入部とすることができ、前記基台の凹部を小さくすることができる。また、前記凹状接続部材をその内部に配設する前記基台の凹部は、全体外形を断面略Ｕ字状に形状した孔とし、外周の開口を挿入部として設け、かつ、火袋の下輪を装着したとき前記凸状接続部材の離脱防止ができるから、火袋の下輪を装着することにより凸状接続部材の離脱が困難とり、安定した固定を可能とすることもできる。
よって、基台への火袋吊り具の取付け及び取外しが容易で、構成部品の取付部の破損を確実に防止し、安定した取付け状態とする形態とすることができる。
【００３１】
請求項５の発明の提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記複数本の脚と前記基台との取付けは、前記複数本の脚の上端に配設した凸状接続部材と、前記基台の外周の開口から前記凸状接続部材の挿脱を自在とする挿入部及び前記凸状接続部材の水平方向の摺動によって固定される固定部を有する前記基台の下面側に穿設した水平断面略Ｕ字状の凹部に固着された凹状接続部材で行うものである。
【００３２】
したがって、前記複数本の脚と前記基台との接続は、前記複数本の脚の上端部に配設した凸接続部材の突出部を、前記基台の下面側に穿設した水平断面略Ｕ字状の凹部に固着され、前記基台の外周の開口から前記凸状接続部材の突出部を水平方向に摺動させ、固定部で固定するものである。また、前記凸接続部材の突出部を固定部から挿入部に摺動させると、凸接続部材の突出部を挿入部から取外すことができる。故に、取付け及び取外しが簡単となり、無理な外力を付与する必要がないから、構成部品を破損することがない。また、前記凸接続部材及び凹接続部材は、木材等より任意の強い機械的強度で構成でき、繰り返しの使用に耐える部品とすることができる。そして、周囲の湿度や温度等の変化により、複数本の脚、基台の木材の寸法が変化しても、安定した接続状態を維持できる。更に、凹接続部材の固定部は、凸接続部材の突出部の挿脱を自在とし、突出部が水平方向に摺動して固定部の摺動面を摺動することにより固定されているから、離脱を目的としない外力によって自然に離脱することがない。更にまた、前記凹状接続部材をその内部に配設する前記基台の凹部は、全体外形を断面略Ｕ字状に形状した孔とし、外周の開口を挿入部として設けたものであるから、自由空間を前記凸状接続部材の挿脱を自在とする挿入部とすることができ、前記基台の凹部を小さくすることができる。
よって、基台への複数本の脚の取付け及び取外しが容易で、構成部品の取付部の破損を確実に防止し、安定した取付け状態とする形態とすることができる。
【００３３】
請求項６の発明の提灯は、光源を収容する火袋と、前記火袋の下部を固定する基台と、前記基台の下部に取付けられる複数本の脚と、前記基台に立設され、火袋の上部を保持する一対の支柱からなる火袋吊り具と、前記火袋吊り具の一対の支柱間の上部に取付けられる略Ｃ字状の雲手と、前記複数本の脚の内側から、前記脚に取付けられて補強をなす補強部材とを具備し、前記火袋吊り具と前記基台との取付けは、前記火袋吊り具の下端に配設した凸状接続部材と、前記基台の外周の開口から前記凸状接続部材の挿脱を自在とする挿入部及び前記凸状接続部材の水平方向の摺動により固定となる固定部を有する前記基台の上面側に穿設した水平断面略Ｕ字状の凹部に固着された凹状接続部材で行い、また、前記複数本の脚と前記基台との取付けは、前記複数本の脚の上端に配設した凸状接続部材と、前記基台の外周の開口から前記凸状接続部材の挿脱を自在とする挿入部及び前記凸状接続部材の水平方向の摺動により固定となる固定部を有する前記基台の下面側に穿設した水平断面略Ｕ字状の凹部に固着された凹状接続部材で行い、前記基台の外周に火袋の下輪を装着し、前記凸状接続部材の離脱を防止するものである。
【００３４】
したがって、上記請求項４及び請求項５の効果を奏することができる。よって、一対の支柱と基台の取付けや取外しが容易で、一対の支柱と基台の取付時や取外時に、構成部品の強度をより増して、取付け構造の破損を確実に防止することができ、また、複数の脚と基台との取付け及び取外しも容易で、複数本の脚と基台の取付時や取外時に、構成部品の強度をより増して、取付部の破損を更に確実に防止することができる。
【００３５】
請求項７の発明の提灯の前記凸状接続部材の外側及び前記凹状接続部材の固定部の内側には、対向面に水平方向に延びた線条を形成し、互いに嵌合する構造としたものであるから、請求項１乃至請求項６のいずれか１つに記載の効果に加えて、両者の結合状態及び両者の接触抵抗を高くすることができ、かつ、偶力に対しては高い抵抗を示すことができ、安定した固着状態が維持できる。
【００３６】
請求項８の発明の提灯の前記凸状接続部材の火袋吊り具側または脚側には、前記凸状接続部材に突起を形成したものであるから、請求項１乃至請求項７のいずれか１つに記載の効果に加えて、前記突起が火袋吊り具または脚のひび割れを防止し、かつ、前記突起が火袋吊り具または脚に係合され、両者の一体化をより堅固なものとすることができる。
【００３７】
請求項９の発明の提灯の前記凹状接続部材の基台側には、前記凹状接続部材に突起を形成したものであるから、請求項１乃至請求項８のいずれか１つに記載の効果に加えて、前記凹状接続部材と基台との一体化をより堅固なものとすることができる。
【００３８】
請求項１０の発明の提灯の前記凹状接続部材は、全体外形の水平断面を長円状としたものであるから、請求項１乃至請求項３、請求項７乃至請求項９のいずれか１つに記載の効果に加えて、ドリルの穿設処理で形成した凹部、プレカットで形成した凹部との結合が容易になり、取付状態で回動し難くなり、かつ、がたつきが生じない。
【００３９】
請求項１１の発明の提灯の前記基台に形成し、前記凹状接続部材をその内部に配設する凹部は、全体外形の水平断面を長円孔としたものであるから、請求項１乃至請求項３、請求項７乃至請求項１０のいずれか１つに記載の効果に加えて、ドリルの穿設処理またはプレカットで簡単に正確な凹部が形成される。
【００４０】
請求項１２の発明の提灯の前記凹状接続部材は、全体外形の水平断面を断面略Ｕ字状としたものであるから、請求項４乃至請求項９のいずれか１つに記載の効果に加えて、自由空間を前記凸状接続部材の挿脱を自在とする挿入部とすることができ、小型化できる。
【００４１】
請求項１３の発明の提灯の前記凹状接続部材をその内部に配設する前記基台の凹部は、全体外形の水平断面を断面略Ｕ字状に形状した孔としたものであるから、請求項４乃至請求項９、請求項１２のいずれか１つに記載の効果に加えて、火袋の下輪を装着することにより凸状接続部材の離脱が困難となるから、安定した固定が可能である。
【発明を実施するための最良の形態】
【００４２】
以下、本発明を図面に示した提灯の実施の形態に基づき説明する。なお、実施の形態において、本発明の実施の形態を説明するための参考説明例と実施の形態の構成部分の同一記号及び同一符号は、実施の形態１と同一または相当する機能を意味する部品であるから、ここでは重複する説明を省略する。
図１は本発明の実施の形態にかかる提灯の斜視図である。
【００４３】
図中、Ｌは提灯である。提灯Ｌは略円板状の基台１と、基台１の上面側に取付けられる火袋吊り具２として機能する一対の支柱と、基台１の下面側に取付けられる脚３として機能する脚と、竹ひご及び和紙または絹から構成される火袋５とを有している。また、基台１には発光手段である電球等の光源４が着脱自在に設けられている。そして、基台１の外周面下端部に沿ってフランジ１１が形成されている。火袋吊り具２が基台１の上面側に取付けられた後、火袋吊り具２の上端を跨ぐようにして雲手２１が取付けられる。また、火袋吊り具２には、取付けられた雲手２１の少し下方に釘状の掛け具２２が設けられている。
【００４４】
図中の火袋５は、二点斜線（想像線）で示されており、竹ひごで全体の骨組みを形成しそれに和紙、絹等を張って本体を形成し、上部に吊り紐５１を配設した所定幅のリング状の上部外輪５２が設けられ、また、下部に所定幅のリング状の下部外輪５３が設けられている。吊り紐５１は掛け具２２に掛けられ、下部外輪５３はフランジ１１上に載置され、基台１の外周に嵌め込まれて固定され、火袋５の使用状態が維持される。火袋吊り具２の下端の外輪には押さえ具２３が設けてあるので、上記下部外輪５３が基台１の外周面から外れるのを防止でき、安定した固定ができる。
【００４５】
脚３が基台１の下端面に取付けられた後、脚３の内側には略三角形の補強部材６が配設され、脚３は互いに連結される。なお、本実施の形態においては、基台１、火袋吊り具２、雲手２１、脚３、補強部材６は、基本的にほぼ全体が木製で構成されている。
【００４６】
そこで、本発明の実施の形態の基台１と火袋吊り具２の取付構造と、基台１と脚３の取付構造は、本発明の実施の形態を説明するための参考説明例の火袋吊り具２と雲手２１の取付構造、複数本の脚３と前記補強部材６の取付構造と共通する特徴を有するので、本発明の実施の形態を説明するための参考説明例の取付構造を先ず説明する。
【００４７】
参考説明例１
図２は本発明の実施の形態を説明するための参考説明例１にかかる提灯の雲手の取付構造を示した要部斜視図である。図３は本発明の実施の形態を説明するための参考説明例１にかかる提灯の凸接続部材と凹接続部材の結合関係を示す斜視図で、図４は本発明の実施の形態を説明するための参考説明例１にかかる提灯の凸接続部材の正面図（ａ）、側面図（ｂ）、取付け状態を示す断面図（ｃ）である。図５は本発明の実施の形態１にかかる提灯の凹接続部材の正面図（ａ）、側面図（ｂ）、Ａ−Ａ切断線によるＡ−Ａ断面図（ｃ）、Ｂ−Ｂ切断線によるＢ−Ｂ断面図（ｄ）である。
【００４８】
図において、略Ｃ字状の雲手２１の下方には嵌込孔２１１が設けられており、嵌込孔２１１には接続のための捩子穴２１２が設けられている。嵌込孔２１１に対しては合成樹脂製の凸接続部材２１３が対応して取付けられており、凸接続部材２１３には略錨型の突出部２１４がベース２１３Ｂと一体に形成されている。そして、凸接続部材２１３には捩子穴２１５が穿設されている。雲手２１と凸接続部材２１３は、捩子２１６により捩子穴２１５を通して嵌込孔２１１の捩子穴２１２を使って、嵌込孔２１１面に固着される。
【００４９】
また、火袋吊り具２の上部には嵌込孔２２１が設けられ、嵌込孔２２１に対して凹接続部材２２２が対応して取付けられている。合成樹脂製の凹接続部材２２２は凸接続部材２１３の突出部２１４に対応して、凸接続部材２１３の突出部２１４が嵌めこまれるように略四角形の固定部２２３が設けられている。また、凹接続部材２２２には接続のための捩子穴２２４が穿設されている。そして、凹接続部材２２２は、捩子２２５によって捩子穴２２４を通して火袋吊り具２の嵌込孔２２１に嵌めこまれて固着される。
【００５０】
更に、凸接続部材２１３と凹接続部材２２２について詳述する。
凹接続部材２２２のベース２２２Ｂの面を一面として共通させた四角形の嵌合穴を形成した固定部２２３には、縦方向のスリットからなる固定溝２２８が設けられている。固定部２２３及び固定溝２２８は差込みの固定位置を決めるものであり、固定部２２３で突出部２１４を保持し、固定溝２２８でその付根を保持するものであるから、ガタツキをなくして堅固に固定することができる。また、凹接続部材２２２の固定部２２３の下部には、突出部２１４の挿入時に摺動のガイドとなるハの字に開いた摺動面２２７が設けられており、摺動面２２７以下の下部は突出部２１４の挿入する箇所であり、挿入を案内する挿入部２２９を構成している。固定部２２３の内径寸と同等の合成樹脂製の略錨型をした突出部２１４は、凹接続部材２２２の下方から摺動面２２７を摺動して固定部２２３に挿入され、合成樹脂の性質である弾力性のため、若干弾性変形して固定部２２３に堅固に固定される。即ち、凹接続部材２２２の固定部２２３は、凸接続部材２１３の突出部２１４の挿脱を自在とし、突出部２１４が挿入部２２９から固定部２２３の摺動面２２７を摺動することにより、固定となり、当然、離脱を目的としない外力によっては自然に離脱することがない。然して、雲手２１と火袋吊り具２は、容易かつ強固に接続され、挿脱が便利でありながら強固に接続できる。
【００５１】
このように構成された凸接続部材２１３は、捩子２１６により、雲手２１の嵌込孔２１１に嵌め込まれて固着されている。そして、凹接続部材２２２は火袋吊り具２の上部の嵌込孔２２１に嵌め込まれ、捩子２２５により嵌込孔２２１に取付けられている。
【００５２】
したがって、一対の支柱としての火袋吊り具２と略Ｃ字状の雲手２１との接続は、雲手２１の端部に配設した凸接続部材２１３の突出部２１４を、一対の火袋吊り具２の外側に埋め込んだ凹接続部材２２２の挿入部２２９に挿入し、そして、凸接続部材２１３の突出部２１４を摺動させると固定部２２３で固定される。また、凸接続部材２１３の突出部２１４を固定部２２３から挿入部２２９に摺動させると、凸接続部材２１３の突出部２１４を挿入部２２９から取外すことができる。故に、取付け及び取外しが簡単となり、無理な外力を付与する必要がないから、構成部品を破損することがない。然して、雲手２１と火袋吊り具２は、挿脱が容易にできると共に、頑丈に組立ができ、その状態でガタガタすることがない。
【００５３】
参考説明例２
次に、脚３と補強材６との接続について説明する。
【００５４】
図６は本発明の実施の形態を説明するための参考説明例２にかかる提灯の脚の取付構造を示した要部斜視図である。図７は本発明の実施の形態を説明するための参考説明例２にかかる提灯の脚に取付けた凹接続部材の斜視図である。図８は本発明の実施の形態を説明するための参考説明例２にかかる提灯の脚に取付けた凹接続部材の正面図（ａ）、側面図（ｂ）、Ｄ−Ｄ切断線によるＤ−Ｄ断面図（ｃ）である。
【００５５】
図において、略三角形の補強部材６の端部には、嵌込孔（図示せず）が設けられており、その嵌込孔には接続のための捩子穴（図示せず）が設けられて、凸接続部材（図示せず）には略錨型の突出部２１４が一体に形成されている。なお、この突出部２１４の構成は、略Ｃ字状の雲手２１の端部に配設した凸接続部材２１３の突出部２１４と同じであるから、ここでは詳細な説明を省略する。
【００５６】
凹接続部材２２２の上方に捩子穴２２４が設けてあり、この捩子穴２２４を用いて捩子２２５により、脚３の内側の上下方向の略中央部に設けた嵌込孔３１１に取付けられる。雲手２１と火袋吊り具２に取付ける場合と異なり、凸接続部材２１３の突出部２１４と接続される凹接続部材２２２の挿入部２２９が上方向に設けられ、突出部２１４を凹接続部材２２２の上方の挿入部２２９より挿入できる構成となっている。したがって、凹接続部材２２２の挿入部２２９より、突出部２１４を摺動面２２７を摺動しながら挿入し、固定溝２２８に嵌まり込んだところで固定する。
【００５７】
このように構成された凸接続部材（図示せず）は、捩子（図示せず）により、略三角形の補強部材６の嵌込孔（図示せず）に嵌め込まれて固着されている。そして、凹接続部材２２２は３本の脚３の嵌込孔３１１に嵌め込まれ、捩子２２５により嵌込孔３１１に取付けられる。
【００５８】
そして、３本の脚３は、略三角形の補強部材６によって位置決めされ、提灯Ｌの基台１を支える支持脚であって、脚３と略三角形の補強部材６は、脚３に設けられた凹接続部材２２２の固定部２２３と補強部材６に設けられた凸接続部材２１３の突出部２１４とで挿脱自在となる。
【００５９】
具体的には、略三角形の補強部材６の突出部２１４は、脚３の内側の凹接続部材２２２の挿入部２２９から固定部２２３の摺動面２２７を下方に摺動することにより、固定となり、当然、離脱を目的としない外力によっては自然に離脱することがない。然して、脚３と補強部材６は、容易かつ強固に接続され、挿脱が便利でありながら強固に接続できる。
【００６０】
実施の形態３
図９は本発明の実施の形態を説明するための参考説明例３にかかる提灯の凸接続部材を示した正面図（ａ）、側面図（ｂ）、Ｅ−Ｅ切断線によるＥ−Ｅ断面図（ｃ）、平面図（ｄ）である。この実施の形態は、基本的態様が図４の参考説明例と同じであるから、主に、図４の参考説明例との相違点のみ説明する。
【００６１】
凸接続部材４１３にはベース４１３Ｂに対して略錨型の突出部４１４が一体に形成されている。そして、凸接続部材４１３には捩子穴４１５が穿設されている。凸接続部材４１３は、捩子により捩子穴４１５を通して固着される。この略錨型の突出部４１４は、端部を幅狭く形成することにより弾性変形を可能とし、凹接続部材２２２の固定部２２３の内面との弾性結合を適度な値にすることができる。また、ベース４１３Ｂの４隅角を丸くし、角をドリルで処理できるようにしたものであり、凸接続部材４１３の取付け対象の機械的強度を低下させることなく、その取付けを可能とすることができる。また、ベース４１３Ｂと突出部４１４との間は、両者に対して垂直に設けたリブ４１４Ａによって、突出部４１４の機械的強度を増している。したがって、機械的強度が強く、挿着及び離脱が容易となる。
【００６２】
参考説明例４
図１０は本発明の実施の形態を説明するための参考説明例４にかかる提灯の凸接続部材を示した正面図（ａ）、側面図（ｂ）、取付状態の断面説明図（ｃ）である。この参考説明例は、基本的態様が図４の参考説明例と同じであるから、主に、図４の参考説明例との相違点のみ説明する。
【００６３】
凸接続部材５１３にはベース５１３Ｂに対して略錨型の突出部５１４が一体に形成されている。そして、凸接続部材５１３には捩子穴５１５が穿設されている。凸接続部材５１３は、捩子により捩子穴５１５を通して固着される。この略錨型の突出部５１４は、１／４球によって、突出部５１４の機械的強度を増すとともに、凹接続部材２２２の固定部２２３の内面との弾性接触を適度な値にする。また、ベース５１３Ｂの４隅角を丸くし、角をドリルで処理できるようにしたものであり、凸接続部材５１３の取付け対象の機械的強度を低下させることなく、その取付けを可能とすることができる。また、ベース５１３Ｂと突出部５１４との間は、両者に対して垂直に設けたリブ５１４Ａによって、突出部５１４の機械的強度を増している。したがって、機械的強度が強く、装着及び離脱が容易となる。
【００６４】
参考説明例５
図１１は本発明の実施の形態を説明するための参考説明例５にかかる提灯の凹接続部材を示した正面図（ａ）、側面図（ｂ）、Ｆ−Ｆ切断線によるＦ−Ｆ断面図（ｃ）、底面図（ｄ）である。この参考説明例は、基本的態様が図５の参考説明例と同じであるから、主に、図５の参考説明例との相違点のみ説明する。
【００６５】
合成樹脂製の凹接続部材６２２は、凸接続部材２１３の突出部２１４に対応して、凸接続部材２１３の突出部２１４が嵌めこまれるようにベース６２２Ｂを使用して略四角形の固定部６２３が設けられている。また、凹接続部材６２２には接続のための捩子穴６２４が穿設されている。凹接続部材６２２には四角形の嵌合穴を形成した固定部６２３が、縦方向のスリットからなる固定溝６２８が設けられている。固定部６２３及び固定溝６２８は差込みの固定位置を決めるものであり、固定部６２３で突出部２１４を保持し、固定溝６２８でその付根を保持する。また、凹接続部材６２２の固定部６２３の下部には、突出部２１４の挿入時に摺動のガイドとなるハの字に開いた摺動面６２７が設けられており、摺動面６２７以下の下部は突出部２１４の挿入する箇所であり、挿入を案内する挿入部６２９を構成している。固定部６２３の内径寸と同等の略錨型をした突出部２１４は、凹接続部材６２２の下方から摺動面６２７を摺動して固定部６２３に挿入され、合成樹脂の性質である弾力性のため、若干弾性変形して固定部６２３に堅固に固定される。即ち、凹接続部材６２２の固定部６２３は、凸接続部材２１３の突出部２１４の挿脱を自在とし、突出部２１４が挿入部６２９から固定部６２３の摺動面６２７を摺動することにより、固定となり、当然、離脱を目的としない外力によっては自然に離脱することがない。
【００６６】
特に、本参考説明例では、固定溝６２８の開口端部に小突起６２８ａが形成されているので、固定溝６２８に凸接続部材２１３の突出部２１４を挿入したとき、突出部２１４の付け根が小突起６２８ａを通過したとき、人為的にそれを反対方向に移動させる外力を付与しない限り、容易に離脱されなくなり、安定した取付け状態が維持できる。
【００６７】
また、凹接続部材６２２のベース６２２Ｂは、両端を円柱の中心を通る線で切断した蒲鉾状とした長円状としたものであるから、取付け対象の嵌込孔２１１，３１１が自動機械で処理でき、マニュアル的にもドリルで形成できるから、機械的亀裂を生じさせることがないから、機械的強度を低下させることなく組み付けができる。
【００６８】
参考説明例６
図１２は本発明の実施の形態を説明するための参考説明例６にかかる提灯の凹接続部材を示した正面図（ａ）、側面図（ｂ）、Ｇ−Ｇ切断線によるＧ−Ｇ断面図（ｃ）、平面図（ｄ）である。この参考説明例は、基本的態様が図５の参考説明例と同じであるから、主に、図５の参考説明例との相違点のみ説明する。
【００６９】
また、図１３は本発明の実施の形態を説明するための参考説明例６にかかる提灯の補強部材との接続状態を説明する説明図で、補強部材の端部の正面図（ａ）、側面図（ｂ）、接続状態を示す要部断面図（ｃ）である。
【００７０】
合成樹脂製の凹接続部材７２２は、凸接続部材２１３の突出部２１４に対応して、凸接続部材２１３の突出部２１４が嵌め込まれるようにベース７２２Ｂを使用して、上部の開口面積を大きくした略四角形の固定部７２３が設けられている。また、凹接続部材７２２には接続のための捩子穴７２４が穿設されている。凹接続部材７２２には四角形の嵌合穴を形成した固定部７２３が、縦方向のスリットからなる固定溝７２８が設けられている。固定部７２３及び固定溝７２８は差込みの固定位置を決めるものであり、固定部７２３で突出部２１４を保持し、固定溝７２８でその付根を保持する。また、凹接続部材７２２の固定部７２３の下部には、突出部２１４の挿入時に摺動のガイドとなるハの字に開いた摺動面７２７が設けられており、摺動面７２７以下の下部は突出部２１４の挿入する箇所であり、挿入を案内する挿入部７２９を構成している。固定部７２３の内径寸よりも小さい略錨型をした突出部２１４は、凹接続部材７２２の上方から摺動面７２７を摺動して固定部７２３に挿入される。このとき、有底の固定部７２３で下方の移動が阻止され、固定部７２３に固定される。即ち、凹接続部材７２２の固定部７２３は、凸接続部材２１３の突出部２１４の挿脱を自在とし、突出部２１４が挿入部７２９から固定部７２３の摺動面７２７を摺動することにより、固定となり、当然、離脱を目的としない外力によっては自然に離脱することがない。
【００７１】
略三角形の補強部材６１の端部の突出部２１４Ａは、略三角形の補強部材６１と一体に形成されている。
【００７２】
したがって、略三角形の補強部材６の突出部２１４Ａは、凹接続部材７２２の挿入部７２９から、その前面壁が斜めになっている固定部７２３の摺動面７２７を下方に摺動することにより、固定となり、当然、離脱を目的としない外力によっては自然に離脱することがない。
【００７３】
特に、本参考説明例では、凹接続部材７２２のベース７２２Ｂは、両端を円柱の中心を通る線で切断した蒲鉾状とした長円状としたものであるから、取付け対象の嵌込孔２１１，３１１がプレカット等の自動機械で処理でき、マニュアル的にもドリルで形成できるから、機械的亀裂を生じさせることがないから、機械的強度を低下させることなく組み付けができる。
【００７４】
このように、上記参考説明例の提灯は、光源４を収容する火袋５と、火袋５の下側を固定する基台１と、基台１の下部に取付けられる複数本の脚３と、基台１に立設され、火袋５の上部を保持する一対の支柱としての火袋吊り具２と、一対の支柱としての火袋吊り具２間の上部に取付けられる略Ｃ字状の雲手２１と、複数本の脚３の内側から、脚３に取付けられて補強をなす補強部材６とを具備し、一対の支柱としての火袋吊り具２と雲手２１との接続は、雲手２１の内側端部に配設した突出部２１４，４１４，５１４を有する凸接続部材２１３，４１３，５１３と、一対の支柱としての火袋吊り具２の外側に埋め込んだ凸接続部材２１３，４１３，５１３の突出部２１４，４１４，５１４の挿脱を自在とする挿入部２２９，６２９，７２９及び突出部２１４，４１４，５１４の摺動により固定される固定部２２３，６２３，７２３を有する凹接続部材２２２，６２２，７２２で行うものである。
【００７５】
したがって、一対の支柱としての火袋吊り具２と略Ｃ字状の雲手２１との接続は、雲手２１の端部に配設した凸接続部材２１３，４１３，５１３の突出部２１４，４１４，５１４を、一対の支柱としての火袋吊り具２の外側に埋め込んだ凹接続部材２２２，６２２，７２２の挿入部２２９，６２９，７２９に挿入し、そして、凸接続部材２１３，４１３，５１３の突出部２１４，４１４，５１４を摺動させると固定部２２３，６２３，７２３で固定される。また、凸接続部材２１３，４１３，５１３の突出部２１４，４１４，５１４を固定部から挿入部に摺動させると、凸接続部材２１３，４１３，５１３の突出部２１４，４１４，５１４を挿入部２２９，６２９，７２９から取外すことができる。故に、取付け及び取外しが簡単となり、無理な外力を付与する必要がないから、構成部品を破損することがない。
【００７６】
よって、基台１への火袋吊り具２の取付けや取外しが容易で、基台１への火袋吊り具２の取付時や取外時に、構成部品の強度をより増して、取付け構造の破損を確実に防止することができる。
【００７７】
また、上記参考説明例の提灯は、光源４を収容する火袋５と、火袋５の下側を固定する基台１と、基台１の下部に取付けられる複数本の脚３と、基台１に立設され、火袋５の上部を保持する一対の支柱としての火袋吊り具２と、一対の支柱としての火袋吊り具２間の上部に取付けられる略Ｃ字状の雲手２１と、複数本の脚３の内側から、脚３に取付けられて補強をなす補強部材６とを具備し、複数本の脚３と補強部材６，６１との接続は、補強部材６，６１の端部に設けた突出部２１４，４１４，５１４，２１４Ａを有する凸接続部材２１３，４１３，５１３と、複数本の脚の内側に埋め込んだ凸接続部材２１３，４１３，５１３の突出部２１４，４１４，５１４，２１４Ａの挿脱を自在とする挿入部２２９，６２９，７２９及び突出部２１４，４１４，５１４，２１４Ａの摺動により固定される固定部２２３，６２３，７２３を有する凹接続部材２２２，６２２，７２２で行うものである。
【００７８】
したがって、複数本の脚３と補強部材６，６１との接続は、補強部材６，６１の端部に配設した凸接続部材２１３，４１３，５１３の突出部２１４，４１４，５１４，２１４Ａを、複数本の脚３の内側に埋め込んだ凹接続部材２２２，６２２，７２２の挿入部２２９，６２９，７２９に挿入し、そして、凸接続部材２１３，４１３，５１３の突出部２１４，４１４，５１４，２１４Ａを摺動させると固定部２２３，６２３，７２３で固定される。また、凸接続部材２１３，４１３，５１３の突出部２１４，４１４，５１４，２１４Ａを固定部２２３，６２３，７２３から挿入部２２９，６２９，７２９に摺動させると、凸接続部材２１３，４１３，５１３の突出部２１４，４１４，５１４，２１４Ａを挿入部２２９，６２９，７２９から取外すことができる。故に、取付け及び取外しが簡単となり、無理な外力を付与する必要がないから、構成部品を破損することがない。
【００７９】
上記参考説明例の提灯は、突出部２１４，４１４，５１４，２１４Ａを有する凸接続部材２１３，４１３，５１３は、略錨型としたものである。このように、凸接続部材２１３，４１３，５１３の突出部２１４，４１４，５１４，２１４Ａを略錨型とすることにより、簡単な構造で、容易に離脱することのない構造とすることができる。
【００８０】
上記参考説明例の提灯は、挿入部２２９，６２９，７２９から挿入した凸接続部材２１３，４１３，５１３の突出部２１４，４１４，５１４，２１４Ａが、連続して徐々に固定部２２３，６２３，７２３で固定できるから簡単な構造で、容易に固定できる構造とすることができる。
【００８１】
上記参考説明例の提灯は、凸接続部材２１３，４１３，５１３及び凹接続部材２２２，６２２，７２２が、両端を円柱の中心を通る線で切断した略蒲鉾状としたものであるから、凸接続部材２１３，４１３，５１３及び凹接続部材２２２，６２２，７２２を埋め込んで取付ける際に、例えば、木材等の相手部材に入れる切込みの加工が容易になり、機械的強度も強くなる。
【００８２】
上記参考説明例の提灯は、凸接続部材２１３，４１３，５１３及び凹接続部材２２２，６２２，７２２が、合成樹脂で形成したものであるから、木材等より任意の強い機械的強度で構成でき、繰り返しの使用に耐える部品とすることができる。
【００８３】
実施の形態１及び２
図１４は本発明の実施の形態１にかかる提灯の火袋吊り具の取付構造を示した基台の平面図である。図１５は本発明の実施の形態１及び２にかかる基台の断面図で、図１６は本発明の実施の形態２にかかる提灯の複数の脚の取付構造を示した下からみた基台の平面図である。図１７は本発明の実施の形態１にかかる提灯の火袋吊り具の取付構造を示した要部斜視図、図１８は本発明の実施の形態２にかかる提灯の脚の取付構造を示した要部斜視図である。更に、図２２は本発明の実施の形態１乃至５にかかる提灯の全体の斜視図である。
【００８４】
実施の形態１
図において、本発明の実施の形態１の提灯Ｌは、光源を収容する火袋５の下部を固定する基台１と、基台１に立設され、火袋５の上部を保持する一対の支柱からなる火袋吊り具２との関係が次のようになっている。
【００８５】
一対の支柱からなる火袋吊り具２と基台１との取付けは、一対の支柱からなる火袋吊り具２の下端に配設した凸状接続部材８００と、基台１に凹部１３を形成し、凹部１３内に配設した凸状接続部材８００の挿脱を自在とする挿入部１１７及び凸状接続部材８００の水平方向の摺動により固定される固定部１１６を有する凹状接続部材１１０で行うものである。
【００８６】
即ち、基台１の上面には、プレカット等の加工により凹部１３が形成され、この凹部１３は断面略Ｕ字状で外周が開口している。そこに、凹状接続部材１１０が挿入され、接着剤及び木ネジ１１４で凹部１３に固着され、装着状態となる。このとき、凹状接続部材１１０の基台１側には突起１１５が形成されているので、安定した固着状態が維持される。この突起１１５は凹状接続部材１１０と同一材料で形成してもよいし、画鋲のような金属を埋設して形成してもよい。このとき使用する接着剤は、基台１に木材に含浸できるものがよい。
【００８７】
凹状接続部材１１０は外形が略Ｕ字状で、内部は収容空間としての固定部１１６を形成し、その対向面には、水平方向に延びた凹凸形状の線条１１１を形成し、凸状接続部材８００の外側及び凹状接続部材１１０の固定部１１６の内側が互いに密に嵌合する構造の本体周囲部１１２及び底部１１３を形成している。固定部１１６は凸状接続部材８００との結合状態を維持する部位である。凹状接続部材１１０の基台１の基台本体部１２の外周、即ち、略Ｕ字状の外周の開口側は、挿入部１１７として機能する。
また、一対の支柱からなる火袋吊り具２の下端に配設した凸状接続部材８００は、次のように取付けられる。
【００８８】
一対の支柱からなる火袋吊り具２の下端に接着剤を塗布し、凸状接続部材８００を接着剤及び木ネジ８０４で固着する。このとき、凸状接続部材８００の火袋吊り具２側には突起８０５が形成されているので、安定した固着状態が維持される。この突起８０５は凸状接続部材８００と同一材料で形成してもよいし、画鋲のような金属を埋設して形成してもよい。このとき使用する接着剤は、木材からなる火袋吊り具２に含浸できるものがよい。
【００８９】
凸状接続部材８００は外形が略直方体で、外部は収容空間としての凹状接続部材１１０の固定部１１６の水平方向に延びた凹凸形状の線条１１１に嵌合する水平方向に延びた凹凸形状の線条８０１を形成し、凸状接続部材８００の外側と凹状接続部材１１０の固定部１１６の内側が、互いに密に嵌合する構造となっている。
【００９０】
本発明の実施の形態１に係る提灯は、光源４を収容する火袋５と、火袋５の下部を固定する基台１と、基台１の下部に取付けられる複数本の脚３と、基台１に立設され、火袋５の上部を保持する一対の支柱からなる火袋吊り具２と、火袋吊り具２の一対の支柱間の上部に取付けられる略Ｃ字状の雲手２１と、複数本の脚３の内側から、脚３に取付けられて補強をなす補強部材６とを具備し、火袋吊り具２と基台１との取付けは、火袋吊り具２の下端に配設した凸状接続部材８００と、基台１に凹部１３を穿設し、凹部１３内の凸状接続部材８００の挿脱を自在とする挿入部１１７及び凸状接続部材８００の水平方向の摺動により固定となる固定部１１６を有する凹状接続部材１１０で行うものである。
【００９１】
この本発明の実施の形態１に係る提灯は、凹部１３内に凹状接続部材１１０を装着し、凹状接続部材１１０の略Ｕ字状の外周の開口側の挿入部１１７から凸状接続部材８００を宛がい、凹状接続部材１１０の凹凸形状の線条１１１に凸状接続部材８００の凹凸形状の線条８０１を挿入し、凹状接続部材１１０の固定部１１６に固定する。この状態で固定状態を維持でき、安定した固定状態が維持できる。特に、本発明の実施の形態１に係る提灯は下部外輪５３で周囲の離脱を拘束されるから、下部外輪５３を押さえ具２３で押さえた後の火袋５の装着状態では、火袋吊り具２の一対の支柱設けられた凸状接続部材８００は、離脱できなくなる。
【００９２】
したがって、一対の支柱からなる火袋吊り具２の下端に配設した凸状接続部材８００と、基台１に形成した凹部１３内に配設した凸状接続部材８００の挿脱を自在とする挿入部１１７及び凸状接続部材８００の水平方向の摺動により凹状接続部材１１０の固定部１１６に固定されるものである。特に、火袋吊り具２の下端に配設した凸状接続部材８００を凹状接続部材１１０の挿入部１１７に挿入し、そして、水平方向の摺動により凹状接続部材１１０の固定部１１６に固定するものであるから、火袋吊り具２と基台１との取付けを堅固に行うことができる。また、逆の操作により取外しができ、取付け及び取外しが簡単となり、無理な外力を付与する必要がないから、構成部品を破損することがない。
【００９３】
実施の形態２
図において、本発明の実施の形態２の提灯Ｌは、光源を収容する火袋５の下部を固定する基台１と、基台１に下部に設けられる複数の脚３との関係が次のようになっている。
【００９４】
複数の脚３と基台１との取付けは、複数の脚３の上端に配設した凸状接続部材８００と、基台１に凹部１４を形成し、凹部１４内に配設した凸状接続部材８００の挿脱を自在とする挿入部１０７及び凸状接続部材８００の水平方向の摺動により固定となる固定部１０６を有する略Ｕ字状の凹状接続部材１００で行うものである。即ち、基台１の下面には、プレカット等の加工により凹部１４が形成され、この凹部１４は断面略長円状である。そこに、略Ｕ字状の凹状接続部材１００が挿入され、接着剤及び木ネジ１０４で凹部１４に固着され、装着状態となる。このとき、凹状接続部材１００の基台１側には突起１０５が形成されているので、安定した固着状態が維持される。この突起１０５は凹状接続部材１００と同一材料で形成してもよいし、画鋲のような金属を埋設して形成してもよい。このとき使用する接着剤は、木材からなる基台１に含浸できるものがよい。
【００９５】
凹状接続部材１００は外形が略Ｕ字状で、内部は収容空間としての固定部１０６を形成し、その対向面には、水平方向に延びた凹凸形状の線条１０１を形成し、凸状接続部材８００の外側及び凹状接続部材１００の固定部１０６の内側が互いに密に嵌合する構造の本体周囲部１０２及び底部１０３を形成している。固定部１０６は凸状接続部材８００との結合状態を維持する部位である。凹状接続部材１００の基台１の基台本体部１２の外周、即ち、略Ｕ字状の開口側は、挿入部１０７として機能する。
【００９６】
また、複数の脚３の上端に配設した凸状接続部材８００は、次のように取付けられる。
複数の脚３の上端に接着剤を塗布し、凸状接続部材８００を接着剤及び木ネジ８０４で固着する。このとき、凸状接続部材８００の脚３側には突起８０５が形成されているので、安定した固着状態が維持される。この突起８０５は凸状接続部材８００と同一材料で形成してもよいし、画鋲のような金属を埋設して形成してもよい。このとき使用する接着剤は、木材からなる脚３に含浸できるものがよい。
【００９７】
凸状接続部材８００は外形が略直方体で、外部は収容空間としての凹状接続部材１００の固定部１０６の水平方向に延びた凹凸形状の線条１０１に嵌合する水平方向に延びた凹凸形状の線条８０１を形成し、凸状接続部材８００の外側と凹状接続部材１００の固定部１０６の内側が、互いに密に嵌合する構造となっている。
このとき、複数本の脚３の内側から、脚３に取付けられて補強をなす補強部材６は、固定部１０６から凸状接続部材８００の挿脱を自在とする挿入部１０７への移動を拘束し、容易に組みつけが解除されることがない。
【００９８】
本発明の実施の形態２に係る提灯は、光源４を収容する火袋５と、火袋５の下部を固定する基台１と、基台１の下部に取付けられる複数本の脚３と、基台１に立設され、火袋５の上部を保持する一対の支柱からなる火袋吊り具２と、火袋吊り具２の一対の支柱間の上部に取付けられる略Ｃ字状の雲手２１と、複数本の脚３の内側から、脚３に取付けられて補強をなす補強部材６とを具備し、複数本の脚３と基台１との取付けは、複数本の脚３の上端に配設した凸状接続部材８００と、基台３に凹部１４を形成し、凹部１４内に配設した凸状接続部材８００の挿脱を自在とする挿入部１０７及び凸状接続部材８００の摺動によって固定される固定部１０６を有する凹状接続部材１００で行うものである。
【００９９】
したがって、複数本の脚３の上端に配設した凸状接続部材８００と、基台１に形成した凹部１４内に配設した凸状接続部材８００の挿脱を自在とする挿入部１０７及び凸状接続部材８００の水平方向の摺動によって固定される固定部１０６を有する凹状接続部材１００で固定を行うものである。特に、脚３の上端に配設した凸状接続部材８００を凹状接続部材１００の挿入部１０７に挿入し、そして、水平方向に摺動させて凹状接続部材１００の固定部１０６に固定するものであるから、複数本の脚３と基台１との取付けは堅固に行うことができる。また、逆の操作で容易に分離することができる。よって、取付け及び取外しが簡単となり、無理な外力を付与する必要がないから構成部品を破損することがない。
【０１００】
ここで、実施の形態１及び２では、凸状接続部材８００の外部は収容空間としての凹状接続部材１００，１１０の固定部１０６，１１６の水平方向に延びた凹凸形状の線条１０１，１１１に嵌合する水平方向に延びた凹凸形状の線条８０１を形成したものであるが、本発明を実施する場合には、水平方向に移動自在で、所定距離の移動により拘束されるように、上下方向の移動を規制し、水平方向のみに移動可能で、所定の距離移動したとき所定の接触抵抗以上になればよい。
【０１０１】
実施の形態３
図１９は本発明の実施の形態３にかかる提灯の脚の取付構造を示した基台の要部斜視図である。
【０１０２】
図において、本発明の実施の形態３の提灯Ｌは、光源を収容する火袋５の下部を固定する基台１と、基台１に下部に設けられる複数の脚３との関係が次のようになっている。
【０１０３】
複数の脚３と基台１との取付けは、複数の脚３の上端に配設した凸状接続部材８００と、基台１に略長円形の凹部１４を形成し、凹部１４内に配設した凸状接続部材８００の挿脱を自在とする挿入部１０７及び凸状接続部材８００の水平方向の摺動によって固定される固定部１０６を有する略長円形の凹状接続部材１００で行うものである。即ち、基台１の下面には、プレカット等の加工により凹部１４が形成され、この凹部１４は断面略長円状である。そこに、略長円形の凹状接続部材１００が挿入され、接着剤及び木ネジ１０４で凹部１４に固着され、装着状態となる。このとき、凹状接続部材１００の基台１側には突起１０５が形成されているので、安定した固着状態が維持される。この突起１０５は凹状接続部材１００と同一材料で形成してもよいし、画鋲のような金属を埋設して形成してもよい。このとき使用する接着剤は、木材からなる基台１に含浸できるものがよい。
【０１０４】
凹状接続部材１００は外形が略長円形で、内部は収容空間としての固定部１０６を形成し、その対向面には、水平方向に延びた凹凸形状の線条１０１を形成し、凸状接続部材８００の外側及び凹状接続部材１００の固定部１０６の内側が互いに密に嵌合する構造の本体周囲部１０２及び底部１０３を形成している。固定部１０６は凸状接続部材８００との結合状態を維持する部位である。
【０１０５】
また、複数の脚３の上端に配設した凸状接続部材８００は、実施の形態２と同様であるのでその説明を省略する。
【０１０６】
このように、本発明の実施の形態３に係る提灯は、光源４を収容する火袋５と、火袋５の下部を固定する基台１と、基台１の下部に取付けられる複数本の脚３と、基台１に立設され、火袋５の上部を保持する一対の支柱からなる火袋吊り具２と、火袋吊り具２の一対の支柱間の上部に取付けられる略Ｃ字状の雲手２１と、複数本の脚３の内側から、脚３に取付けられて補強をなす補強部材６とを具備し、複数本の脚３と基台１との取付けは、複数本の脚３の上端に配設した凸状接続部材８００と、基台３に略長円状の凹部１４を形成し、凹部１４内に配設した凸状接続部材８００の挿脱を自在とする挿入部１０７及び凸状接続部材８００の摺動によって固定される固定部１０６を有する凹状接続部材１００で行うものである。
【０１０７】
したがって、複数本の脚３の上端に配設した凸状接続部材８００と、基台１に形成した略長円状の凹部１４内に配設した凸状接続部材８００の挿脱を自在とする挿入部１０７及び凸状接続部材８００の水平方向の摺動によって固定される固定部１０６を有する凹状接続部材１００で固定を行うものである。特に、脚３の上端に配設した凸状接続部材８００を凹状接続部材１００の挿入部１０７に挿入し、そして、水平方向に摺動させて凹状接続部材１００の固定部１０６に固定するものであるから、複数本の脚３と基台１との取付けは堅固に行うことができる。また、逆の操作で容易に分離することができる。よって、取付け及び取外しが簡単となり、無理な外力を付与する必要がないから構成部品を破損することがない。
【０１０８】
実施の形態４
図２０は本発明の実施の形態４にかかる提灯の火袋吊り具の取付構造の平面図及び要部断面図である。
【０１０９】
図において、本発明の実施の形態４の提灯Ｌは、光源を収容する火袋５の下部を固定する基台１と、基台１に立設され、火袋５の上部を保持する一対の支柱からなる火袋吊り具２との関係が次のようになっている。
【０１１０】
一対の支柱からなる火袋吊り具２と基台１との取付けは、一対の支柱からなる火袋吊り具２の下端に配設した凸状接続部材８００と、基台１に外周側を開口するように凹部１３を形成し、凹部１３内に配設した凸状接続部材８００の挿脱を自在とする挿入部１１７及び凸状接続部材８００の水平方向の摺動によって固定される固定部１１６を有する凹状接続部材１１０で行うものである。
【０１１１】
即ち、基台１の上面には、プレカット等の加工により凹部１３が形成され、この凹部１３は断面略Ｕ字状で外周が開口している。そこに、凹状接続部材１１０が挿入され、接着剤及び木ネジ１１４で凹部１３に固着され、基台本体部１２の外周は凹状接続部材１１０の装着により連続となる。このとき、凹状接続部材１１０の本体周囲部１１２は、所定の厚み、形状からなるように形成されている。
【０１１２】
凹状接続部材１１０は外形が略長円孔で、内部は収容空間としての固定部１１６を形成し、その対向面には、水平方向に延びた凹凸形状の線条１１１を形成し、凸状接続部材８００の外側及び凹状接続部材１１０の固定部１１６の内側が互いに密に嵌合する構造の本体周囲部１１２及び底部１１３を形成している。固定部１１６は凸状接続部材８００との結合状態を維持する部位である。凹状接続部材１１０の固定部１１６以外の位置が挿入部１１７として機能する。
【０１１３】
また、一対の支柱からなる火袋吊り具２の下端に配設した凸状接続部材８００、実施の形態１と同様であるのでその説明を省略する。
【０１１４】
このように、本発明の実施の形態４に係る提灯は、光源４を収容する火袋５と、火袋５の下部を固定する基台１と、基台１の下部に取付けられる複数本の脚３と、基台１に立設され、火袋５の上部を保持する一対の支柱からなる火袋吊り具２と、火袋吊り具２の一対の支柱間の上部に取付けられる略Ｃ字状の雲手２１と、複数本の脚３の内側から、脚３に取付けられて補強をなす補強部材６とを具備し、火袋吊り具２と基台１との取付けは、火袋吊り具２の下端に配設した凸状接続部材８００と、基台１に凹部１３を穿設し、凹部１３内の凸状接続部材８００の挿脱を自在とする挿入部１１７及び凸状接続部材８００の水平方向の摺動により固定となる固定部１１６を有する凹状接続部材１１０で行うものである。
【０１１５】
この本発明の実施の形態４に係る提灯は、凹部１３内に凹状接続部材１１０を装着し、凹状接続部材１１０の長円状の開口側の挿入部１１７から凸状接続部材８００を宛がい、凹状接続部材１１０の凹凸形状の線条１１１に凸状接続部材８００の凹凸形状の線条８０１を挿入し、凹状接続部材１１０の固定部１１６に固定する。この状態で固定状態を維持でき、安定した固定状態が維持できる。
【０１１６】
したがって、一対の支柱からなる火袋吊り具２の下端に配設した凸状接続部材８００と、基台１に形成した凹部１３内に配設した凸状接続部材８００の挿脱を自在とする挿入部１１７及び凸状接続部材８００の水平方向の摺動により凹状接続部材１１０の固定部１１６に固定となるものである。特に、火袋吊り具２の下端に配設した凸状接続部材８００を凹状接続部材１１０の挿入部１１７に挿入し、そして、水平方向の摺動により凹状接続部材１１０の固定部１１６に固定するものであるから、火袋吊り具２と基台１との取付けを堅固に行うことができる。また、逆の操作により取外しができ、取付け及び取外しが簡単となり、無理な外力を付与する必要がないから、構成部品を破損することがない。
【０１１７】
実施の形態５
図２１は本発明の実施の形態５にかかる提灯の脚の取付構造を示した下からみた基台の平面図及び要部断面図である。
【０１１８】
図において、本発明の実施の形態５の提灯Ｌは、光源を収容する火袋５の下部を固定する基台１と、基台１に下部に設けられる複数の脚３との関係が次のようになっている。
【０１１９】
複数の脚３と基台１との取付けは、複数の脚３の上端に配設した凸状接続部材８００と、基台１のフランジ１１まで切欠いた略Ｕ字状の凹部１４を形成し、凹部１４内に配設した凸状接続部材８００の挿脱を自在とする挿入部１０７及び凸状接続部材８００の水平方向の摺動によって固定される固定部１０６を有する略長円形の凹状接続部材１００で行うものである。即ち、基台１の下面には、プレカット等の加工により凹部１４が形成され、この凹部１４は断面略Ｕ字状である。そこに、略長円形の凹状接続部材１００が挿入され、接着剤及び木ネジ１０４で凹部１４に固着され、装着状態となる。このとき、凹状接続部材１００の基台１側には突起１０５が形成されているので、安定した固着状態が維持される。この突起１０５は凹状接続部材１００と同一材料で形成してもよいし、画鋲のような金属を埋設して形成してもよい。このとき使用する接着剤は、木材からなる基台１に含浸できるものがよい。
【０１２０】
凹状接続部材１００は外形が略長円形で、内部は収容空間としての固定部１０６を形成し、その対向面には、水平方向に延びた凹凸形状の線条１０１を形成し、凸状接続部材８００の外側及び凹状接続部材１００の固定部１０６の内側が互いに密に嵌合する構造の本体周囲部１０２及び底部１０３を形成している。固定部１０６は凸状接続部材８００との結合状態を維持する部位である。本体周囲部１０２の外周端にはフランジ部１１ａが形成されている。また、複数の脚３の上端に配設した凸状接続部材８００は、実施の形態２と同様であるのでその説明を省略する。
【０１２１】
このように、本発明の実施の形態５に係る提灯は、光源４を収容する火袋５と、火袋５の下部を固定する基台１と、基台１の下部に取付けられる複数本の脚３と、基台１に立設され、火袋５の上部を保持する一対の支柱からなる火袋吊り具２と、火袋吊り具２の一対の支柱間の上部に取付けられる略Ｃ字状の雲手２１と、複数本の脚３の内側から、脚３に取付けられて補強をなす補強部材６とを具備し、複数本の脚３と基台１との取付けは、複数本の脚３の上端に配設した凸状接続部材８００と、基台３に略長円状の凹部１４を形成し、凹部１４内に配設した凸状接続部材８００の挿脱を自在とする挿入部１０７及び凸状接続部材８００の摺動によって固定される固定部１０６を有する凹状接続部材１００で行うものである。
【０１２２】
したがって、複数本の脚３の上端に配設した凸状接続部材８００と、基台１に形成した略長円状の凹部１４内に配設した凸状接続部材８００の挿脱を自在とする挿入部１０７及び凸状接続部材８００の水平方向の摺動によって固定される固定部１０６を有する凹状接続部材１００で固定を行うものである。特に、脚３の上端に配設した凸状接続部材８００を凹状接続部材１００の挿入部１０７に挿入し、そして、水平方向に摺動させて凹状接続部材１００の固定部１０６に固定するものであるから、複数本の脚３と基台１との取付けは堅固に行うことができる。また、逆の操作で容易に分離することができる。したがって、取付け及び取外しが簡単となり、無理な外力を付与する必要がないから構成部品を破損することがない。
【０１２３】
ところで、上記実施の形態の凸状接続部材８００の外側及び凹状接続部材１００，１１０の固定部１０１，１１１の内側には、対向面に水平方向に延びた線条を形成し、互いに嵌合する構造としたものであるが、本発明を実施する場合には、水平方向に伸びた凹凸条または両側に凸状を形成し、その間で挟む形状としてもよい。
【０１２４】
また、凹状接続部材１００，１１０及び凸状接続部材８００の火袋吊り具２側または脚３側には、凹状接続部材１００，１１０及び凸状接続部材８００に突起１０５，１１５，８０５を形成したものである。この突起８０５は凹状接続部材１００，１１０または凸状接続部材８００と同一材料で形成してもよいし、画鋲のような金属を埋設して形成してもよい。突起８０５を設けたものでは、堅固に一体化が可能となる。このとき接着剤は、使用しなくてもよいが、使用すると木材の亀裂等の発生を防止できる。なお、突起１０５，１１５，８０５は、接着剤の使用または木ネジ１０４，１１４，８０４の本数または種類によって、省略することができる。
【０１２５】
そして、凹状接続部材１００，１１０は、全体外形を長円状としたものであるが、本発明を実施する場合には、全体外形を長円状以外の形状とすることができる。しかし、全体外形を長円状とすると基台１の加工が容易である。
【０１２６】
更に、基台１に形成し、凹状接続部材１００，１１０をその内部に配設する凹部１３，１４は、長円孔としたものであるが、本発明を実施する場合には、他の形状とすることができる。しかし、長円状とするとプレカット等で正確な加工が容易になる。
【０１２７】
更にまた、凹状接続部材１００，１１０は、全体外形を断面略Ｕ字状に形状としたものでは、コンパクトな取付け手段を構成することができる。
【０１２８】
そして、凹状接続部材１００，１１０をその内部に配設する基台１の凹部１３，１４は、全体外形を断面略Ｕ字状に形状した孔とし、外周の開口を挿入部１１７として設けたものである。したがって、コンパクトな取付け手段を構成することができる。
【０１２９】
加えて、凹状接続部材１００，１１０をその内部に配設する基台１の凹部１３，１４は、全体外形を断面略Ｕ字状に形状した孔とし、外周の開口を挿入部１１７として設け、かつ、火袋の下輪５３を装着したとき凸状接続部材８００の離脱防止とするものであり、安定した強度が維持でき、組み付けた状態で容易に外れることがない。
【０１３０】
ところで、上記実施の形態を説明するための参考説明例では、凸接続部材２１３，４１３，５１３及び凹接続部材２２２，６２２，７２２が、合成樹脂で形成される事例で説明したが、本発明を実施する場合には、アルミニウム、黄銅、鉄等の金属とすることもできる。
【０１３１】
また、補強部材６１の端部に配設した突出部２１４Ａを有する凸接続部材は、合成樹脂によって補強部材６１と突出部２１４Ａとを一体に成形したものであるが、本発明を実施する場合には、一体に形成したものでもよいし、別体に形成したものでもよい。
【０１３２】
そして、上記実施の形態では、凸接続部材２１３，４１３，５１３及び凹接続部材２２２，６２２，７２２は、捩子で固着する事例を説明したが、本発明を実施する場合には、接着剤、釘、その他の固着手段の使用ができる。
【０１３３】
なお、本発明を実施する場合の凹状接続部材１００，１１０は、外周の開口を挿入部１０７，１１７、内側を固定部１０６，１１６としてもよいし、内側の開口を挿入部１０６，１１６、外側を固定部１０７，１１７としてもよい。
【図面の簡単な説明】
【０１３４】
【図１】図１は本発明の実施の形態にかかる提灯の斜視図である。
【図２】図２は本発明の実施の形態を説明するための参考説明例１にかかる提灯の雲手の取付構造を示した要部斜視図である。
【図３】図３は本発明の実施の形態を説明するための参考説明例１にかかる提灯の凸接続部材と凹接続部材の結合関係を示す斜視図である。
【図４】図４は本発明の実施の形態を説明するための参考説明例１にかかる提灯の凸接続部材の正面図（ａ）、側面図（ｂ）、取付け状態を示す断面図（ｃ）である。
【図５】図５は本発明の実施の形態を説明するための参考説明例１にかかる提灯の凹接続部材の正面図（ａ）、側面図（ｂ）、Ａ−Ａ切断線によるＡ−Ａ断面図（ｃ）、Ｂ−Ｂ切断線によるＢ−Ｂ断面図（ｄ）である。
【図６】図６は本発明の実施の形態２にかかる提灯の脚の取付構造を示した要部斜視図である。
【図７】図７は本発明の実施の形態を説明するための参考説明例２にかかる提灯の脚に取付けた凹接続部材の斜視図である。
【図８】図８は本発明の実施の形態を説明するための参考説明例２にかかる提灯の脚に取付けた凹接続部材の正面図（ａ）、側面図（ｂ）、Ｄ−Ｄ切断線によるＤ−Ｄ断面図（ｃ）である。
【図９】図９は本発明の実施の形態を説明するための参考説明例３にかかる提灯の凸接続部材を示した正面図（ａ）、側面図（ｂ）、Ｅ−Ｅ切断線によるＥ−Ｅ断面図（ｃ）、平面図（ｄ）である。
【図１０】図１０は本発明の実施の形態を説明するための参考説明例４にかかる提灯の凸接続部材を示した正面図（ａ）、側面図（ｂ）、取付状態の断面説明図（ｃ）である。
【図１１】図１１は本発明の実施の形態を説明するための参考説明例５にかかる提灯の凹接続部材を示した正面図（ａ）、側面図（ｂ）、Ｆ−Ｆ切断線によるＦ−Ｆ断面図（ｃ）、底面図（ｄ）である。
【図１２】図１２は本発明の実施の形態を説明するための参考説明例６にかかる提灯の凹接続部材を示した正面図（ａ）、側面図（ｂ）、Ｇ−Ｇ切断線によるＧ−Ｇ断面図（ｃ）、平面図（ｄ）である。
【図１３】図１３は本発明の実施の形態を説明するための参考説明例７にかかる提灯の補強部材との接続状態を説明する説明図で、補強部材の端部の正面図（ａ）、側面図（ｂ）、接続状態を示す要部断面図（ｃ）である。
【図１４】図１４は本発明の実施の形態１にかかる提灯の火袋吊り具の取付構造を示した基台の平面図である。
【図１５】図１５は本発明の実施の形態１及び２にかかる基台の断面図である。
【図１６】図１６は本発明の実施の形態２にかかる提灯の複数の脚の取付構造を示した下からみた基台の平面図である。
【図１７】図１７は本発明の実施の形態１にかかる提灯の火袋吊り具の取付構造を示した要部斜視図である。
【図１８】図１８は本発明の実施の形態２にかかる提灯の脚の取付構造を示した要部斜視図である。
【図１９】図１９は本発明の実施の形態３にかかる提灯の脚の取付構造を示した基台の要部斜視図である。
【図２０】図２０は本発明の実施の形態４にかかる提灯の火袋吊り具の取付構造の平面図（ａ）及び要部断面図（ｂ）である。
【図２１】図２１は本発明の実施の形態５にかかる提灯の脚の取付構造を示した下からみた基台の平面図（ａ）及び要部断面図（ｂ）である。
【図２２】図２２は本発明の実施の形態１乃至５にかかる提灯の全体の斜視図である。
【符号の説明】
【０１３５】
Ｌ    提灯
１    基台
１１    フランジ
１２    基台本体部
１３，１４    凹部
１００，１１０    凹状接続部材
１０１，１１１    凹凸形状の線条
１０６，１１６    固定部
１０７，１１７    挿入部
２    火袋吊り具
２１    雲手
３    脚
４    光源
５    火袋
８００    凸状接続部材
【図１】
2006210361.tif 000003
【図２】
2006210361.tif 000004
【図３】
2006210361.tif 000005
【図４】
2006210361.tif 000006
【図５】
2006210361.tif 000007
【図６】
2006210361.tif 000008
【図７】
2006210361.tif 000009
【図８】
2006210361.tif 000010
【図９】
2006210361.tif 000011
【図１０】
2006210361.tif 000012
【図１１】
2006210361.tif 000013
【図１２】
2006210361.tif 000014
【図１３】
2006210361.tif 000015
【図１４】
2006210361.tif 000016
【図１５】
2006210361.tif 000017
【図１６】
2006210361.tif 000018
【図１７】
2006210361.tif 000019
【図１８】
2006210361.tif 000020
【図１９】
2006210361.tif 000021
【図２０】
2006210361.tif 000022
【図２１】
2006210361.tif 000023
【図２２】
2006210361.tif 000024